(57)【要約】【課題】本発明は、容易に結合ピンを挿抜できる結合ピン着脱治具を提供することを課題とする。【解決手段】本発明に係る結合ピン着脱治具は、雌型コネクターの一方の雌側突部の外側面に当接し、雄側ピン孔及びその周縁を開放するよう配置される第１係合部と、雌型コネクターの他方の雌側突部の外側面に当接し、雄側ピン孔及びその周縁を開放するよう配置される第２係合部と、第１係合部及び第２係合部間を接続し、雌型コネクター及び雄型コネクターの少なくとも一方の上面に載置される接続部と、雌側ピン穴及び雄側ピン穴と同軸となるねじ穴が貫通して形成され、第２係合部の第１係合部と反対側に間隔を空けて配置される保持部と、第２係合部又は接続部から延び、保持部を支持する支持部と、ねじ穴に螺合する押しボルトとを備えることを特徴とする。【選択図】図３
2020001912.tif 000002
【特許請求の範囲】
【請求項１】
対向して配設され、同軸の雌側ピン穴が形成された一対の雌側突部を有する雌型コネクターと、上記一対の雌側突部の間に挿入され、上記雌側ピン穴と同軸に配置される雄側ピン穴が形成された雄側突部を有する雄型コネクターとを着脱するために、上記雌側ピン穴及び上記雄側ピン穴に結合ピンを挿抜する結合ピン着脱治具であって、
上記雌型コネクターの一方の上記雌側突部の外側面に、上記雌側ピン孔及びその周縁を開放するよう当接する第１係合部と、
上記雌型コネクターの他方の上記雌側突部の外側面に、上記雌側ピン孔及びその周縁を開放するよう当接する第２係合部と、
上記第１係合部及び上記第２係合部間を接続し、上記雌型コネクター及び上記雄型コネクターの少なくとも一方の上面に載置される接続部と、
上記雌側ピン穴及び上記雄側ピン穴と同軸となるねじ穴が貫通して形成され、上記第２係合部の上記第１係合部と反対側に間隔を空けて配置される保持部と、
上記第２係合部又は上記接続部から延び、上記保持部を支持する支持部と、
上記ねじ穴に螺合する押しボルトと
を備えることを特徴とする結合ピン着脱治具。
【請求項２】
上記押しボルトが先端に軸周りに回転自在に設けられた当接部材を有する請求項１に記載の結合ピン着脱治具。
【請求項３】
上記当接部材が上記押しボルトの軸に対して傾斜可能に設けられた請求項２に記載の結合ピン着脱治具。
【請求項４】
上記第１係合部、上記第２係合部、上記接続部及び上記支持部をそれぞれ有する一対の板状体と、この板状体を間隔を空けて平行に保持する連結体とを備える請求項１、請求項２又は請求項３に記載の結合ピン着脱治具。
【請求項５】
請求項１から請求項４のいずれか１項に記載の結合ピン着脱治具を雌型コネクターに係合させる工程と、
インパクトレンチを用いて上記押しボルトをねじ込むことにより上記結合ピンを軸方向に押し込んで上記雌側ピン穴及び上記雄側ピン穴に挿抜する工程と
を備える結合ピン着脱方法。
【発明の詳細な説明】
【技術分野】
【０００１】
本発明は、結合ピン着脱治具及び結合ピン着脱方法に関する。
【背景技術】
【０００２】
例えば複数の部材間を分離可能に結合する構造として、複数の部材の重複部分に形成された結合穴に結合ピンを挿入する構造が広く採用されている。例として、大型のクレーンに用いられるブーム、ジブ、ストラット等のクレーンアタッチメントの構成要素は、平行に配置される４本の主桁とこの主桁間を接続する複数の補桁とをそれぞれ有する骨組み四角筒状の複数のラチス構造体を結合ピンを用いて長手方向に連結して形成される。
【０００３】
このラチス構造体の接続構造について詳細に説明すると、一般的に、各ラチス構造体の主桁の端部には雌型コネクター又は雄型コネクターが配設されており、雌型コネクターと雄型コネクターとを嵌合させてこの雌型コネクター及び雄型コネクターを短手方向に貫通するよう結合ピンを挿入することでラチス構造体間が接続される。通常、雌型コネクターは、互いに平行に配設され、同軸にピン穴が形成された一対の板状の突部を有する。一方、雄型コネクターは、雌型コネクターの一対の突部の間に挿入され、雌型コネクターのピン穴と同軸に配置されるピン穴が形成された板状の突部を有する。
【０００４】
大型のクレーンでは、コネクター及び結合ピンもかなり大きいものとなるため、結合ピンを挿抜する作業も容易ではない。そこで、例えば実開昭５７−１８１７８９号公報には、結合ピンを容易に挿抜するために、結合ピンの頭部に軸方向に延びるようねじ棒を設け、雌型コネクターの突部の外側面に結合ピンを収容可能なケーシングを設け、このケーシングの外面側の壁に上記ねじ棒に螺合するナットを回転可能に設けた結合装置が提案されている。この結合装置では、ナットを回転させることでねじ棒を軸方向に移動させて結合ピンを挿抜することができる。
【０００５】
上記公報に記載の結合装置では、スパナ等を用いてナットを回転させる必要があるが、結合ピンを挿抜するためには相当な回数の回転が要求されるため、ナットを回転させる作業が煩雑である。特に、コネクター及び結合ピンが大きい場合、ねじ棒及びナットのサイズも大きくなるため、適用可能なサイズでラチェット機構を有するレンチ等の工具を入手することが困難であり、結合ピンの挿抜を十分に容易化することができない。
【０００６】
また、上記公報に記載の結合装置は、各雌型コネクターにそれぞれボルト等を用いて堅固に取り付ける必要がある。結合ピンを挿抜する度にコネクターに結合装置を取り付け及び取り外しすることも不可能ではないが、大型のクレーンでは対応する結合装置の重量も大きくなり、高い位置で重量物を位置決め及びボルト締結する作業が必要となる。このため、上記公報に記載の結合装置を使用する度に雌型コネクターに取り付け及び取り外しすることは極めて煩雑であり、現実的ではない。
【０００７】
また、油圧シリンダを用いて結合ピンを挿入する装置が実用化されているが、油圧源を必要とし、油圧ラインの接続作業が煩雑である。
【先行技術文献】
【特許文献】
【０００８】
【特許文献１】実開昭５７−１８１７８９号公報
【発明の概要】
【発明が解決しようとする課題】
【０００９】
上記不都合に鑑みて、本発明は、容易に結合ピンを挿抜できる結合ピン着脱治具及び結合ピン着脱方法を提供することを課題とする。
【課題を解決するための手段】
【００１０】
上記課題を解決するためになされた本発明の一態様に係る結合ピン着脱治具は、対向して配設され、同軸の雌側ピン穴が形成された一対の雌側突部を有する雌型コネクターと、上記一対の雌側突部の間に挿入され、上記雌側ピン穴と同軸に配置される雄側ピン穴が形成された雄側突部を有する雄型コネクターとを着脱するために、上記雌側ピン穴及び上記雄側ピン穴に結合ピンを挿抜する結合ピン着脱治具であって、上記雌型コネクターの一方の上記雌側突部の外側面に、上記雌側ピン孔及びその周縁を開放するよう当接する第１係合部と、上記雌型コネクターの他方の上記雌側突部の外側面に、上記雌側ピン孔及びその周縁を開放するよう当接する第２係合部と、上記第１係合部及び上記第２係合部間を接続し、上記雌型コネクター及び上記雄型コネクターの少なくとも一方の上面に載置される接続部と、上記雌側ピン穴及び上記雄側ピン穴と同軸となるねじ穴が貫通して形成され、上記第２係合部の上記第１係合部と反対側に間隔を空けて配置される保持部と、上記第２係合部又は上記接続部から延び、上記保持部を支持する支持部と、上記ねじ穴に螺合する押しボルトとを備えることを特徴とする。
【００１１】
当該結合ピン着脱治具は、上記第１係合部及び上記第２係合部が上記一対の雌側突部の外側面に当接する状態で、上記接続部を上記雌型コネクター及び上記雄型コネクターの少なくとも一方の上面に載置することによって、上記保持部に保持される上記押しボルトを上記雌側ピン穴の外側に配置した上記結合ピンの頭部外側に同軸に配置することができる。そして、上記押しボルトをねじ込む方向に回転させることによって、上記結合ピンを上記雌側ピン穴及び上記雄側ピン穴に挿入することができる。また、上記押しボルトを上記雌側ピン穴及び上記雄側ピン穴に挿入されている上記結合ピンの先端部外側に配置するように当該結合ピン着脱治具を上記雌型コネクターに係合させれば、上記押しボルトのねじ込みにより上記結合ピンを上記雌側ピン穴及び上記雄側ピン穴から押し出すことができる。上記押しボルトのねじ込みは、インパクトレンチ等の工具を用いて容易且つ迅速に行うことができるので、当該結合ピン着脱治具を用いることによって上記結合ピンを上記雌側ピン穴及び上記雄側ピン穴に容易に挿抜することができる。また、当該結合ピン着脱治具は、上記雌型コネクター及び上記雄型コネクターの上に載置するだけで使用することができるので、上記雌型コネクター毎に設ける必要がなく、複数組の上記雌型コネクター及び上記雄型コネクターを逐次接続することができる。このため、当該結合ピン着脱治具を用いることで、接続する部材の重量及び製造コストを増大させずに、接続作業を容易化することができる。
【００１２】
当該結合ピン着脱治具において、上記押しボルトが先端に軸周りに回転自在に設けられた当接部材を有してもよい。このように、上記押しボルトが先端に軸周りに回転自在に設けられた当接部材を有することによって、上記押しボルトと上記結合ピンとの摩擦を低減して上記押しボルトのねじ込みに必要なトルクを低減することができる。
【００１３】
当該結合ピン着脱治具において、上記当接部材が上記押しボルトの軸に対して傾斜可能に設けられてもよい。このように、上記当接部材が上記押しボルトの軸に対して傾斜可能に設けられることによって、上記押しボルトと上記結合ピンとの摩擦をより確実に低減することができる。
【００１４】
当該結合ピン着脱治具は、上記第１係合部、上記第２係合部、上記接続部及び上記支持部をそれぞれ有する一対の板状体と、この板状体を間隔を空けて平行に保持する連結体とを備えてもよい。このように、上記第１係合部、上記第２係合部、上記接続部及び上記支持部をそれぞれ有する一対の板状体と、この板状体を間隔を空けて平行に保持する連結体とを備えることによって、当該結合ピン着脱治具を軽量化することが容易であり、且つ当該結合ピン着脱治具を比較的安価に製造することができる。
【００１５】
本発明の一態様に係る結合ピン着脱方法は、上述の結合ピン着脱治具を雌型コネクターに係合させる工程と、インパクトレンチを用いて上記押しボルトをねじ込むことにより上記結合ピンを軸方向に押し込んで上記雌側ピン穴及び上記雄側ピン穴に挿抜する工程とを備える。
【００１６】
当該結合ピン着脱方法は、インパクトレンチを用いて上記結合ピン着脱治具の上記押しボルトをねじ込むので、上記結合ピンを上記雌側ピン穴及び上記雄側ピン穴に容易に挿抜することができる。
【発明の効果】
【００１７】
本発明に係る結合ピン着脱治具及び結合ピン着脱方法は、容易に結合ピンを挿抜することができる。
【図面の簡単な説明】
【００１８】
【図１】本発明の一実施形態の結合ピン着脱治具を示す模式的斜視図である。
【図２】図１の結合ピン着脱治具による結合ピン挿入開始時を示す模式的平面図である。
【図３】図１の結合ピン着脱治具による結合ピン挿入開始時を示す模式的断面図である。
【図４】図１の結合ピン着脱治具による結合ピン挿入開始時を示す模式的正面図（第１係合部側立面図）である。
【図５】図１の結合ピン着脱治具を用いて結合ピンにより接続されるラチス構造体の倒伏状態（結合ピン挿抜時の向き）の模式的平面図である。
【図６】図１の結合ピン着脱治具による結合ピン挿入完了時を示す模式的断面図である。
【図７】図１の結合ピン着脱治具の結合ピン押出開始時を示す模式的断面図である。
【図８】図１の結合ピン着脱治具の結合ピン押出完了時を示す模式的断面図である。
【発明を実施するための形態】
【００１９】
以下、適宜図面を参照しつつ、本発明の実施の形態を詳説する。
【００２０】
［結合ピン着脱治具］
図１に、本発明の一実施形態に係る結合ピン着脱治具１０を示す。
【００２１】
当該結合ピン着脱治具１０は、図２乃至図４に示すように、雌型コネクター１と雄型コネクター２とを結合ピン３によって接続又は雌型コネクター１と雄型コネクター２とを結合ピン３を抜き出して分離するために使用される。
【００２２】
雌型コネクター１は、対向して配設され、同軸の雌側ピン穴４が形成された一対の雌側突部（結合ピン３の軸方向先端側の第１雌側突部５ａ及び反対側の第２雌側突部５ｂ）を有する。雄型コネクター２は、一対の雌側突部５ａ，５ｂの間に挿入され、雌側ピン穴４と同軸に配置される雄側ピン穴６が形成された雄側突部７を有する。結合ピン３は、雌側ピン穴４及び雄側ピン穴６に挿入される軸部８と、この軸部８の一端に設けられ、外径が雌側ピン穴４及び雄側ピン穴６の内径よりも大きい頭部９とを有する。
【００２３】
この雌型コネクター１と雄型コネクター２との結合ピン３による結合は、図５に示すように、例えばクレーンのブーム、ジブ、ストラット等を構成する複数のラチス構造体間を接続するためなどに広く用いられている。
【００２４】
当該結合ピン着脱治具１０は、雌型コネクター１の一方の雌側突部５ａの外側面に、雌側ピン４穴及びその周縁を開放するよう当接する一対の第１係合部１１と、雌型コネクター１の他方の雌側突部５ｂの外側面に、雌側ピン穴４及びその周縁を開放するよう当接する一対の第２係合部１２と、第１係合部１１及び第２係合部１２間を接続し、雌型コネクター１及び雄型コネクター２の少なくとも一方の上面に載置される一対の接続部１３と、雌側ピン穴４及び雄側ピン穴６と同軸となるねじ穴１４が貫通して形成され、第２係合部１２の第１係合部１１と反対側に間隔を空けて配置される１つの保持部１５と、第２係合部１２から延び、保持部１５を挟み込んで支持する一対の支持部１６と、ねじ穴１４に螺合する１本の押しボルト１７とを備える。
【００２５】
当該結合ピン着脱治具１０は、図３に示すように、雌型コネクター１と雄型コネクター２とを雌側ピン穴４と雄側ピン穴６とが同軸となるよう位置合わせし、第２雌側突部５ｂに結合ピン３の先端部を挿入した状態で、雌型コネクター１及び雄型コネクター２に係合して、図６に示すように押しボルト１７をねじ込むことによって結合ピン３を押し込むことができる。
【００２６】
また、当該結合ピン着脱治具１０は、図７に示すように、雌側ピン穴４及び雄側ピン穴６に挿入されて雌型コネクター１と雄型コネクター２とを接続している結合ピン３の先端側に押しボルト１７を配置するよう雌型コネクター１及び雄型コネクター２に係合させることによって、図８に示すように押しボルト１７のねじ込みにより結合ピン３を雌側ピン穴４及び雄側ピン穴６から押し出すことができる。
【００２７】
図１に示す実施形態の結合ピン着脱治具１０の構造をより詳しく説明すると、当該結合ピン着脱治具１０は、それぞれ第１係合部１１、第２係合部１２、接続部１３及び支持部１６を有する一対の板状体１８と、この一対の板状体１８の接続部１３間を接続し、一対の板状体１８を平行に保持する板状の連結体１９とを備える。
【００２８】
このように、一対の板状体１８を連結体１９で接続する構成とすることによって、当該結合ピン着脱治具１０は、軽量化することが容易であり、且つ比較的安価に製造することができる。
【００２９】
一対の板状体１８の間隔は、図２及び図４に示すように、結合ピン３の頭部９の外径よりも大きい。つまり、当該結合ピン着脱治具１０は、一対の板状体１８の間に結合ピン３の頭部９を配置することができるよう構成される。
【００３０】
＜第１係合部＞
一対の第１係合部１１は、図２に示すように、結合ピン３の先端側が挿入される側の第１雌側突部５ａの雌側ピン穴４の左右両側に配置できるよう構成されている。
【００３１】
第１係合部１１は、当該結合ピン着脱治具１０が結合ピン３を押し込む際に第１雌側突部５ａをしっかりと保持できるよう、雌側ピン穴４の中心よりも低い位置に当接できるよう下方に延びていることが好ましい。
【００３２】
また、第１係合部１１は、下端部に雌型コネクター１への係合を容易にするために、第１係合部１１との間隔を下方に向かって漸増させるテーパー部を有してもよい。
【００３３】
＜第２係合部＞
一対の第２係合部１２は、図３に示すように、結合ピン３の頭部９側が挿入される側の第２雌側突部５ｂの雌側ピン穴４の両側に配置することができるよう構成される。
【００３４】
第２係合部１２は、当該結合ピン着脱治具１０が保持部１５及び支持部１６の重みにより傾斜することなく雌型コネクター１に係合可能とするために、第２雌側突部５ｂの外側面の下端部に当接するよう第２雌側突部５ｂの上下方向の幅と同程度又はそれ以上下方に延びることが好ましい。
【００３５】
第１係合部１１と第２係合部１２との間隔としては、雌型コネクター１にできるだけガタツキなく係合できるよう、雌型コネクター１の雌側突部５ａ，５ｂの外側面間の距離よりも僅かに大きい程度とすることが好ましい。
【００３６】
＜接続部＞
接続部１３は、第１係合部１１及び第２係合部１２を雌型コネクター１の雌側突部５ａ，５ｂの外側に係合可能な間隔にすると共に、雌型コネクター１及び雄型コネクター２の少なくとも一方の上面に当接することによって、当該結合ピン着脱治具１０を雌型コネクター１に上から係合した状態に維持することを可能にする。
【００３７】
図示する実施形態では、一対の接続部１３の一方が雌型コネクター１の上面に載置され、一対の接続部１３の他方が雄型コネクター２の上面に載置されるが（図４参照）、例えば連結体１９が単独又は一対の板状体１８と一体となって雌側ピン穴４の上方まで連続して雌型コネクター１の上面に当接する単一の接続部１３を形成してもよい。このように、接続部１３が雌型コネクター１の雌側ピン穴４の上方部分に当接することで、当該結合ピン着脱治具１０を雄型コネクター２を位置決めする前に雌型コネクター１に係合させることが可能となる。
【００３８】
＜保持部＞
保持部１５は、第１係合部１１及び第２係合部１２を雌側突部５ａ，５ｂの外側面に当接させ、接続部１３を雌型コネクター１及び雄型コネクター２の上面に載置して当該結合ピン着脱治具１０を雌型コネクター１に係合させた状態で、ねじ穴１４に螺合する押しボルト１７を雌側ピン穴４及び雄側ピン穴６と同軸に保持できるよう配置される。
【００３９】
このため、ねじ穴１４は、押しボルト１７の向きを正確に定められるよう十分な長さを有する。保持部１５は、薄い板材にナットを取り付けて形成してもよいが、ねじ穴１４を正確な向きに形成するために、保持部１５は、十分な厚さを有する材料にねじ穴１４を形成したものであることが好ましい。
【００４０】
また、保持部１５は、第２雌側突部５ｂに先端部を挿入した結合ピン３の頭部のさらに外側に押しボルト１７の先端を配置することができるよう、第２係合部１２から間隔を空けて配置される。
【００４１】
＜支持部＞
支持部１６は、第２係合部１２又は接続部１３から延び、保持部１５を上述のような位置に支持する。
【００４２】
＜押しボルト＞
押しボルト１７は、その先端が第１係合部１１及び第２係合部１２側に位置し、頭部が保持部１５の第１係合部１１及び第２係合部１２と反対側に位置するよう、ねじ穴１４に螺合する。
【００４３】
押しボルト１７の頭部の形状としては、工具によって押しボルト１７を回転することができる形状であればよく、一般的な六角ボルトの頭部の形状及び寸法を採用することが好ましい。六角ボルト用の工具は比較的大径用のものが広く流通しており、特にインパクトレンチに用いることができるソケットが入手しやすい。また、押しボルト１７の頭部は、インパクトレンチの角ドライブ（凸型差込部）が直接係合する角穴を有するものであってもよい。
【００４４】
また、押しボルト１７は、通常の締結用のボルトと比較してねじ部の径に比して必要とされるトルクが小さいため、ねじ部の径よりも小さい呼び径の六角ボルト用の頭部の形状を有するものとしてもよい。逆に言うと、押しボルト１７には、入手可能な工具の呼び径よりも大きな呼び径のねじ部を採用して、ねじ部の折れ曲がりを防止することができる。
【００４５】
押しボルト１７は、先端に少なくとも軸周りに回転自在に設けられ、結合ピン３に当接する当接部材２０を有することが好ましい。また、この当接部材２０は、押しボルト１７の軸に対して傾斜可能に設けられることがより好ましい。具体的には、当接部材２０は、ボールジョイントによって押しボルト１７のねじ部の先端に接続されることが好ましい。つまり当接部材２０は、押しボルト１７のねじ部の先端に設けられる球体に係合する球面座を有する構成とすることができる。
【００４６】
このように、押しボルト１７が先端に回転可能、より好ましくは傾動可能な当接部材２０を有することによって、当該結合ピン着脱治具１０の雌型コネクター１への装着に僅かなずれが生じた場合でも、押しボルト１７と結合ピン３との間の摩擦を低減して押しボルト１７のねじ込みに必要なトルクを低減することができる。
【００４７】
［結合ピン着脱方法］
本発明に係る結合ピン着脱方法の一実施形態は、図１の結合ピン着脱治具１０を用いる。具体的には、当該結合ピン着脱方法は、当該結合ピン着脱治具１０を雌型コネクター１に係合させる工程＜係合工程＞と、インパクトレンチを用いて押しボルト１７をねじ込むことにより結合ピン３を軸方向に押し込んで雌側ピン穴４及び雄側ピン穴６に挿抜する工程＜挿抜工程＞とを備える。
【００４８】
雌側ピン穴４及び雄側ピン穴６に結合ピン３を挿入する場合には、当該結合ピン着脱治具１０により結合ピン３の頭部９を軸方向に押込み、雌側ピン穴４及び雄側ピン穴６から結合ピン３を抜き取る場合には、当該結合ピン着脱治具１０により結合ピン３の軸部８を軸方向に押し込む。
【００４９】
＜係合工程＞
係合工程では、雌型コネクター１と雄型コネクター２とを雌側ピン穴４及び雄側ピン穴６が同軸となるよう嵌合させた状態で、上方から当該結合ピン着脱治具１０を雌型コネクター１に係合させる。当該結合ピン着脱治具１０は、第１係合部１１、第２係合部１２及び接続部１３が雌型コネクター１に当接して、雌型コネクター１によって保持される。
【００５０】
結合ピン３を挿入する場合には、図３に示すように、先端を第２雌側突部５ｂの雌側ピン穴４に挿入した結合ピン３の頭部９のさらに外側に保持部１５を配置する向きに当該結合ピン着脱治具１０を配向する。このとき、押しボルト１７は、結合ピン３に干渉しないよう外側に大きく突出する状態としておく。
【００５１】
結合ピン３を抜き取る場合には、図７に示すように、雌側ピン穴４及び雄側ピン穴６に挿入されている結合ピン３の先端側に保持部１５を配置する向きに当該結合ピン着脱治具１０を配向する。
【００５２】
＜挿抜工程＞
挿抜工程では、インパクトレンチにより押しボルト１７を回転させてねじ込み、結合ピン３を第１雌側突部５ａに向かって押圧することによって、結合ピン３を雌側ピン穴４及び雄側ピン穴６に挿入（図６参照）、又は結合ピン３を雌側ピン穴４及び雄側ピン穴６から押し出す（図８参照）。
【００５３】
＜利点＞
以上のように、本発明に係る結合ピン着脱治具１０及び結合ピン着脱方法は、インパクトレンチを用いて結合ピン３を雌側ピン穴４及び雄側ピン穴６に挿抜することができるので、比較的容易に雌型コネクター１と雄型コネクター２とを着脱できる。
【００５４】
また、当該結合ピン着脱治具１０は、雌型コネクター１及び雄型コネクター２の上に載置するだけで使用可能であるので、着脱作業時以外はラチス構造体から分離することできる。このため、当該結合ピン着脱治具１０は、各ラチス構造体の重量を増加させないので、クレーンの吊り能力を低下させることがない。また、当該結合ピン着脱治具１０は、１つだけで複数組の雌型コネクター１及び雄型コネクター２を着脱することができるので、コストも小さくてすむ。
【００５５】
［その他の実施形態］
実施形態は、本発明の構成を限定するものではない。従って、実施形態は、本明細書の記載及び技術常識に基づいて実施形態各部の構成要素の省略、置換又は追加が可能であり、それらは全て本発明の範囲に属するものと解釈されるべきである。
【００５６】
実施形態の結合ピン着脱治具は、一対の板状体の接続部間を連結体により接続しているが、これに加えて又はこれに替えて、連結体は、一対の板状体の雌型コネクター、雄型コネクター及び結合ピンと干渉しない他の部分間を接続してもよい。
【００５７】
また、実施形態の結合ピン着脱治具は、雌側ピン孔を挟んで配置される一対の第１係合部及び一対の第２係合部を備えるが、本発明に係る結合ピン着脱治具の第１係合部及び第２係合部は、それぞれ雄側ピン孔及びその周縁を開放する切り欠きが形成された単一の構造体であってもよい。また、支持部も単一の構造体であってもよい。
【００５８】
また、本発明に係る結合ピン着脱治具において、支持部は、接続部から延びるものであってもよい。また、支持部は、保持部を片持ちに支持するものであってもよい。
【００５９】
本発明に係る結合ピン着脱治具は、結合ピンの挿入専用品と、結合ピンの押出専用品とが別々に提供されてもよい。結合ピンの挿入専用品と押出専用品と別々に提供することで、支持部及び押しボルトの長さを小さくすることができる。特に押しボルトの長さを小さくすることで、押しボルトの径を小さくしても押しボルトが折れ曲がりにくいので、適用できる工具の選択肢を拡げることができる。
【００６０】
本発明に係る結合ピン着脱治具は、雌型コネクターに固定可能な固定機構を備えてもよい。このような固定機構としては、例えば第１係合部又は第２係合部を貫通して設けられ、先端が雌側突部の外側面に圧接可能な固定ねじ、支持部から側方に延出して雌型コネクターが設けられる部材（例えばラチス構造体等）に係合可能な付帯構造などを挙げることができる。また、本発明に係る結合ピン着脱治具は、万一の雌型コネクターからの落下に備えて安全帯（雌型コネクター又は雌型コネクターが設けられる部材に接続されるロープ等）を備えてもよい。また、本発明に係る結合ピン着脱治具の落下を防止するために、結合ピン着脱治具を保持する受け部材を雌型コネクターに配設してもよい。
【産業上の利用可能性】
【００６１】
本発明に係る結合ピン着脱治具及び結合ピン着脱方法は、大型の結合ピンの挿抜に、特に大型クレーンのブーム、ジブ、ストラット等の組み立て及び分解に特に好適に利用することができる。
【符号の説明】
【００６２】
１  雄型コネクター
２  雌型コネクター
３  結合ピン
４  雌側ピン穴
５ａ，５ｂ  雌側突部
６  雄側ピン穴
７  雄側突部
８  軸部
９  頭部
１０  結合ピン着脱治具
１１  第１係合部
１２  第２係合部
１３  接続部
１４  ねじ穴
１５  保持部
１６  支持部
１７  押しボルト
１８  板状体
１９  連結体
２０  当接部材
【図１】
2020001912.tif 000003
【図２】
2020001912.tif 000004
【図３】
2020001912.tif 000005
【図４】
2020001912.tif 000006
【図５】
2020001912.tif 000007
【図６】
2020001912.tif 000008
【図７】
2020001912.tif 000009
【図８】
2020001912.tif 000010